(57)【要約】【課題】撮像装置のサイズを大きくすることなく無線通信ユニットを内蔵し、安定した無線通信状態を確保すること。【解決手段】撮像装置は入射光を接眼光学系に導くペンタプリズム５１と、複数の外装部材を備える。撮影光学系から入射した撮影光束のうち、回動ミラー５２ｍで反射した光は、ペンタプリズム５１の反射面でさらに反射して接眼レンズに到達する。アンテナ部４２を実装した無線基板４１は、ペンタプリズム５１と正面外装カバー１０２との間に配置される。基板固定部材４４は無線基板４１を固定する部材であり、無線基板４１のグランド部は、アンテナ部４２に対して接眼光学系の光軸を挟んで対向する箇所で基板固定部材４４に接続される。基板固定部材４４は、ペンタプリズム固定部材５７に取り付けられ、撮像装置のグランド部と電気的に接続される。正面外装カバー１０２にて、アンテナ部４２に対向する領域の電気抵抗値は周囲よりも相対的に高い。【選択図】  図５
2014044374.tif 000002
【特許請求の範囲】
【請求項１】
無線通信を行う無線通信ユニットを内蔵する撮像装置であって、
前記撮像装置に入射した光を接眼光学系に導く光学部材と、
前記光学部材を覆う複数の外装部材と、
前記無線通信ユニットのアンテナ部が実装された基板を固定する基板固定部材と、を備え、
前記無線通信ユニットは、前記光学部材と前記外装部材との間に形成される空間に配置され、前記無線通信ユニットのグランド部が前記アンテナ部とは前記接眼光学系の光軸を挟んで対向する位置で前記基板固定部材に接続され、前記基板固定部材は、前記光学部材を保持する部材に取り付けられて前記撮像装置のグランド部と電気的に接続されることを特徴とする撮像装置。
【請求項２】
前記外装部材にて前記無線通信ユニットのアンテナ部に対向する領域の電気抵抗値を、当該領域の周囲よりも相対的に高くしたことを特徴とする請求項１に記載の撮像装置。
【請求項３】
前記撮像装置に入射した光を前記光学部材に向けて反射させる反射部材を備え、
前記光学部材は、前記反射部材から入射した光を、前記接眼光学系に向けて反射させる反射面を有し、該反射面と前記外装部材と前記反射部材の保持部材との間に形成される空間に前記無線通信ユニットが配置されることを特徴とする請求項１または２に記載の撮像装置。
【請求項４】
前記複数の外装部材のうちの第１外装部材は導電性の樹脂材料で成形された部材であり、第２外装部材は非導電性の樹脂材料で成形された部材であって、前記第１外装部材および第２外装部材は前記光学部材に形成した前記反射面の周辺で分割されており、
前記第２外装部材と前記光学部材の前記反射面と前記反射部材の保持部材との間に形成される空間に前記無線通信ユニットが配置されいることを特徴とする請求項３に記載の撮像装置。
【請求項５】
前記外装部材は非導電性の樹脂材料で成形された部材に導電性を有する表面処理が施されおり、前記光学部材に形成した前記反射面の周辺で分割される第１外装部材および第２外装部材を備え、
前記第２外装部材と前記光学部材の前記反射面と前記反射部材の保持部材との間に形成される空間に前記無線通信ユニットが配置され、前記第２外装部材にて前記無線通信ユニットのアンテナ部に対向する領域には、当該領域の周辺よりも電気抵抗値の高い表面処理が施されていることを特徴とする請求項３に記載の撮像装置。
【請求項６】
前記無線通信ユニットは、前記光学部材に形成した前記反射面に対して平行に配置されていることを特徴とする請求項３から５のいずれか１項に記載の撮像装置。
【請求項７】
前記基板固定部材における前記アンテナ部の側の端面部は、該アンテナ部から離れて位置していることを特徴とする請求項１から６のいずれか１項に記載の撮像装置。
【請求項８】
前記光学部材を保持する部材は導電性を有する部材であり、前記無線通信ユニットのアンテナ部とは前記接眼光学系の光軸を挟んで対向する位置に形成した腕部が前記基板固定部材と接続されていることを特徴とする請求項１から７のいずれか１項に記載の撮像装置。
【請求項９】
前記光学部材を保持する部材には、前記基板固定部材を支持する支持部が設けられていることを特徴とする請求項１から８のいずれか１項に記載の撮像装置。
【請求項１０】
前記光学部材は、ペンタダハプリズムまたはペンタダハミラーであることを特徴とする請求項１から９のいずれか１項に記載の撮像装置。
【請求項１１】
前記光学部材の上部に閃光ユニットを備えることを特徴とする請求項１から１０のいずれか１項に記載の撮像装置。
【発明の詳細な説明】
【技術分野】
【０００１】
本発明は、無線通信ユニットを内蔵する撮像装置に関するものである。
【背景技術】
【０００２】
従来、撮像装置にて、ファインダ部のペンタプリズムの天面側に無線通信ユニットを配置する構成が提案されている（特許文献１参照）。しかし、撮像装置の外観面にはストロボ等の外部装置を接続して通信するためのアクセサリシューが設けられている。アクセサリシューの金属部が、無線通信時に無線通信ユニットのアンテナ部で放射または受信する電波の妨げとなり、安定した通信状態が得られないという問題があった。また、無線通信ユニットとアクセサリシューとのクリアランスを確保する必要があるため、撮像装置の高さ方向のサイズが大きくなるという課題もあった。そこで、特許文献２では、無線通信時にアクセサリシューが電波を妨げないように、ペンタプリズムの傾斜面（ダハ面）に無線通信ユニットを配置した構成が開示されている。
【先行技術文献】
【特許文献】
【０００３】
【特許文献１】特開２００８−２４４７３５号公報
【特許文献２】特開２０００−７５３８１号公報
【発明の概要】
【発明が解決しようとする課題】
【０００４】
特許文献２に開示された構成では、ストロボ装置等を内蔵する撮像装置への適用において、無線通信ユニットと内蔵ストロボ装置とのクリアランスを確保するため、ストロボ周辺部のサイズを大きくする必要がある。よって、撮像装置の高さ寸法が大きくなるという課題が残る。
本発明は、撮像装置のサイズを大きくすることなく無線通信ユニットを内蔵し、安定した無線通信状態を確保することを目的とする。
【課題を解決するための手段】
【０００５】
上記課題を解決するために、本発明に係る装置は、無線通信を行う無線通信ユニットを内蔵する撮像装置であって、前記撮像装置に入射した光を接眼光学系に導く光学部材と、前記光学部材を覆う複数の外装部材と、前記無線通信ユニットのアンテナ部が実装された基板を固定する基板固定部材と、を備える。前記無線通信ユニットは、前記光学部材と前記外装部材との間に形成される空間に配置され、前記無線通信ユニットのグランド部が前記アンテナ部とは前記接眼光学系の光軸を挟んで対向する位置で前記基板固定部材に接続され、前記基板固定部材は、前記光学部材を保持する部材に取り付けられて前記撮像装置のグランド部と電気的に接続される。
【発明の効果】
【０００６】
本発明によれば、撮像装置のサイズを大きくすることなく無線通信ユニットを内蔵し、安定した無線通信状態を確保できる。
【図面の簡単な説明】
【０００７】
【図１】図２ないし図６と併せて本発明の実施形態を説明するために、撮像装置の外観例を示す斜視図である。
【図２】撮像装置の構成例を示すブロック図である。
【図３】撮像装置の外装部材を取り外した状態を示す斜視図である。
【図４】撮像装置の中央縦断面図である。
【図５】ファインダ部の斜視図（Ａ）と、ファインダ部を無線基板の上面から見た状態を示す図（Ｂ）である。
【図６】正面外装カバーを内側から見た状態を示す図である。
【発明を実施するための形態】
【０００８】
以下に本発明の実施形態について、添付図面を参照して詳細に説明する。
【０００９】
図１および図２を参照して、本発明の実施形態に係る撮像装置の概要について説明する。図１（Ａ）は本実施形態に係る撮像装置の一例としてのカメラボディ１００の外観斜視図であり、ストロボ発光部が発光位置へ移動した状態を示す。図１（Ｂ）はストロボ発光部を収納した状態のカメラボディ１００を背面側から見た場合の外観斜視図である。以下では、被写体側から見た場合のカメラボディ１００の正面を前面と定義し、同様に被写体側から見た場合の上下方向および左右方向を定義して各部の位置関係を説明する。図２はカメラの主要な構成部を示すブロック図である。
【００１０】
カメラボディ１００は複数の外装部材で覆われている。上面外装カバー１０１は、カメラの上部を覆う第１外装部材である。カメラ上面部には図１（Ｂ）に示す主電源スイッチ１０７が設けられている。ユーザが主電源スイッチ１０７をＯＮ位置へ操作すると、ＣＰＵ（中央演算処理装置）を用いたカメラ制御部１０（図２参照）は所定のシーケンスに従ってカメラの起動処理を実行する。通常、電源ＯＦＦの状態で閃光ユニット１０３は収納位置に保持されている。収納状態の閃光ユニット１０３の発光部は後述のペンタプリズムの前面部近傍に位置する。
カメラ制御部１０は操作検出部１２による操作部材の操作信号を受け付けて操作指示に対応する設定を行う。例えば、カメラ上面部の右端寄りに配置した撮影モードダイヤル１０８をユーザが操作して撮影モードを選択すると、カメラ制御部１０は、選択された撮影モードに応じてシャッタ速度と絞りとの組み合わせを決定するプログラム線図を設定する。また、カメラ上面部の左端寄りに配置した電子ダイヤル１０５の操作に応じた露出補正等の設定処理や、ＩＳＯ感度設定ボタン１０６の操作に応じたＩＳＯ感度の条件設定処理が行われる。
【００１１】
撮影モードダイヤル１０８で自動設定モードが選択された場合、操作検出部１２によりレリーズボタン１０４（図１（Ａ）参照）が第１位置まで押し込まれたことが検知されると、カメラ制御部１０は撮影条件制御部１３に制御信号を送る。これにより、適切なシャッタ速度および絞り値を決定するために、ファインダ部の近辺に設けた不図示の測光センサが被写体光を測光する。この測光結果から被写体光が所定の輝度よりも低いと判断した場合、カメラ制御部１０はモータ制御部１４に制御信号を送り、閃光ユニット１０３を発光位置まで移動させるべく不図示のモータを駆動する。閃光ユニット１０３は駆動機構により図１（Ａ）に示す発光位置まで移動する。操作検出部１２によりレリーズボタン１０４が第２位置まで押し込まれたことが検知されると、カメラ制御部１０はモータ制御部１４に制御信号を送り、後述のミラーユニットを所定の位置に退避させ、不図示の撮像素子に被写体光が到達する。カメラ制御部１０はシャッタの開放制御を行い、閃光制御部１１に制御信号を送って所定のタイミングで閃光ユニット１０３を発光させ、被写体に適切な光を照射する。閃光ユニット１０３の発光後、カメラ制御部１０はモータ制御部１４に制御信号を送り、所定時間の経過後にシャッタを遮光状態とする。被写体に光が到達した状態でカメラ制御部１０は撮像素子駆動部１５に制御信号を送り、撮像素子が受光した光像の光電変換により撮像データを取得する処理を行う。撮像データはデータ処理部１６に送られて、増幅、変換、補正等の各種処理を施されて画像データが得られる。
【００１２】
カメラ制御部１０は記録処理部１７を制御し、撮影後の画像データを不図示の記録媒体に記録する。撮影者が不図示の画像再生ボタンを操作すると、カメラ制御部１０は再生処理部１８を制御し、記録媒体から記録画像データを読み出してカメラボディ１００の背面に設けた表示ユニット１１０に撮影画像を表示させる。また、カメラ制御部１０は無線通信機能を用いて外部機器（パーソナルコンピュータ等）との通信処理を制御する。例えば、撮影者は撮影画像を確認し、外部機器に画像データを送信する場合、表示ユニット１１０に表示されるメニュー画面から無線通信機能を選択できる。この場合、カメラ制御部１０は無線制御部１９に制御信号を送り、所定の無線規格に準じた通信状態を確立した後、画像データを外部機器に無線送信する。なお、送受信データについては画像データに限定されるわけではなく、如何なるデータでも通信可能である。
アクセサリシュー１０９は、外部ストロボ等のアクセサリ部品の装着に使用し、所定の接点部でカメラ内部の構成部と通信可能に接続される。
【００１３】
次に図３ないし図５を参照して本実施形態における無線通信ユニットの配置及び固定方法について説明する。
外部機器との通信に用いる無線通信ユニットは、無線基板４１上にアンテナ部４２と通信素子を実装した通信部４３により構成されている。アンテナ部４２は、無線基板４１上にプリントされた回路パターンとして形成されるか、または電気部品によるチップアンテナである。なお、本実施形態ではアンテナ部４２と通信部４３を同一基板上に配置した構成について説明するが、これに限定されるものではない。例えば、アンテナ部４２と通信部４３とが異なる基板上に実装され、それぞれ異なる場所に配置されていてもよい。
【００１４】
ファインダ部５０を構成するペンタプリズム５１は、カメラボディ１００の上部に配置されている。その下方には、ミラーユニットを構成する第１の反射部材としての回動ミラー５２ｍと、回動ミラー５２ｍを回動可能に保持する保持枠（以下、ミラーボックスという）５３が配置されている。撮像光学系の光軸１（図４参照）に沿って入射した撮影光束の一部は、回動ミラー５２ｍで反射した後、ピント板５４を通過してペンタプリズム５１に入射する。本実施形態では、不図示の撮影レンズ部（交換レンズ）からカメラボディ１００に入射した光を接眼光学系に導く光学部材として、ペンタダハプリズムを例示して説明するが、ペンタダハミラーでもよい。ペンタプリズム５１の内部に入射した光束は、第１反射面であるダハ面５１ａ（図３参照）で全反射して左右反転し、前面側の第２反射面５１ｂで反射することで接眼レンズ５５の方向に光路を変更する。接眼レンズ５５を含む接眼光学系の光軸１ａに沿って進行する光を撮影者が観察することで被写体を確認できる。
半透明の回動ミラー５２ｍを透過した光は第２の反射部材であるサブミラー５２ｓで反射して光軸１ｂに沿って進行し、焦点状態検出部２００に到達する。焦点状態検出部２００は位相差検出方式の自動焦点調節制御に使用し、複数の検出素子により画像の位置ずれ量を算出することで焦点状態を検出する。
【００１５】
図５に示すように無線基板４１は、ペンタプリズム５１の第２反射面５１ｂの前面側にて第２反射面５１ｂに対して略平行に配置されている。これにより、無線通信ユニットは、ペンタプリズム５１とミラーボックス５３と正面外装カバー１０２とで形成される空間において、閃光ユニット１０３等の他の部品と干渉しない位置で保持される。すなわち、無線通信ユニットの配置により閃光ユニット１０３の収納位置に影響を及ぼすことはない。無線基板４１は基板固定部材４４に取り付けた状態で支持される。基板固定部材４４は導電材料で形成され、無線基板４１をファインダ部５０に対して固定する役目をもつ。無線基板４１を基板固定部材４４に位置決めした状態にて、無線基板４１に形成したグランドパターンの露出部は基板固定部材４４との締結部４６でもあり、締結部材４５により締結固定される。締結部材４５として使用するビスは金属等の導電材料で形成されている。無線基板４１と基板固定部材４４との締結部４６は、無線基板４１のアンテナ部４２とは前記光軸１ａを挟んで対向する位置に配置されている。また、基板固定部材４４におけるアンテナ部４２側の端面部４４ａ（図５（Ｂ）参照）は、無線通信時にアンテナ部４２で放射または受信される電波に影響を与えないように、アンテナ部４２から数ｍｍ程度左側に離れて配置されている。基板固定部材４４にて、無線基板４１のアンテナ部４２と前記光軸１ａを挟んで対向する側には曲げ部４４ｂが形成されている。
【００１６】
ペンタプリズム５１を保持する部材は、ペンタプリズム固定部材５７とペンタプリズム保持部材５８である。ペンタプリズム固定部材５７は、図５（Ａ）に示すように、ペンタプリズム５１を弾性部材６１で挟んでダハ面５１ａ側から押さえ付けることで、ペンタプリズム保持部材５８に固定される。ペンタプリズム固定部材５７はペンタプリズム保持部材５８にビスで締結固定される。ペンタプリズム固定部材５７には、無線基板４１のアンテナ部４２とは前記光軸１ａを挟んで反対側の部分（左側面部）にて、前方に向かって延在する腕部５７ａが形成されている。腕部５７ａの外側面から、基板固定部材４４の曲げ部４４ｂの内側面を突き当てることで基板固定部材４４が左右方向に位置決めされ、ビス５９で締結固定される。ペンタプリズム固定部材５７の腕部５７ａには位置決めピン５７ｂが一体的に形成されており、位置決めピン５７ｂが基板固定部材４４の腕部４４ｂに形成した位置決め穴と嵌合する。さらに、ペンタプリズム保持部材５８の前面部には、上面寄りの２箇所に支持部としての棚部５８ａが設けられている。それぞれの棚部５８ａは、ペンタプリズム５１の第２反射面５１ｂに平行な面に対して略垂直な当接面部５８ａａを有する。基板固定部材４４の下端面４４ｃが棚部５８ａの当接面部５８ａａに突き当たることで無線基板４１の高さ方向の位置が決まる。これにより、無線基板４１がペンタプリズム５１の第２反射面５１ｂに対して略平行に設置される。
【００１７】
また、図５（Ｂ）に示すように、無線基板４１のアンテナ部４２側の背面には、非導電性の弾性部材６２が配置されている。弾性部材６２は、無線基板４１の背面と、ペンタプリズム５１の第２反射面５１ｂとの間に挟まれた状態で、ペンタプリズム５１に接着固定される。
ペンタプリズム保持部材５８及びミラーボックス５３は、導電性を有する樹脂材料で成形された部材である。ペンタプリズム保持部材５８は、ミラーボックス５３にビスで締結固定される。さらに、カメラの骨組みをなす本体フレーム７０（図３参照）は、樹脂部７０ａと不図示の金属フレームから構成されている。金属フレームとミラーボックス５３とがビスで締結固定されることにより、無線基板４１のグランド部は、基板固定部材４４、ペンタプリズム固定部材５７、ペンタプリズム保持部材５８、ミラーボックス５３を介して電気的グランド部に接続される。つまり、カメラボディ１００の電気的グランド部は本体フレーム７０の金属フレームであり、これに無線基板４１のグランド部が電気的に接続される。なお、本実施形態では、ペンタプリズム保持部材５８とミラーボックス５３とを別体に構成した例を説明したが、これに限らず、両者を一体的に構成した実施形態でも構わない。
【００１８】
次に、図１および図６を参照して、カメラボディ１００の外装構成について説明する。
カメラ動作に対して電磁波の影響を低減するために、外装部材に電磁遮蔽効果を持たせる方法が知られている。外装材料に金属材料、または金属繊維やカーボン繊維を混合した導電性樹脂材料を用いる方法と、非導電性の合成樹脂材料の表面に導電性被膜（導電塗装やイオンプレーティング等による被膜）を施す方法がある。
本実施形態では、第１外装部材である上面外装カバー１０１と第２外装部材である正面外装カバー１０２が、ペンタプリズム５１の第２反射面５１ｂの周辺で分割された構成を有する。無線基板４１は、前面側から見た場合、ほぼ基板全体が正面外装カバー１０２に覆われた状態である。よって、無線基板４１のアンテナ部４２が導電性材料で周囲を覆われて、無線通信用の電波を放射できないと、通信に支障を来たす状態となる。そのため、正面外装カバー１０２は電気抵抗値の高い材料で成形されている。例えば、上面外装カバー１０１と背面外装カバー１１１はカーボン繊維混合樹脂、つまりカーボン繊維を混合した樹脂材料で成形されている。一方、正面外装カバー１０２は上面外装カバー１０１や背面外装カバー１１１に比べて電気抵抗値の高いガラス繊維を混合した樹脂材料で成形されている。但し、これに限定されるものではなく、上面外装カバー１０１と背面外装カバー１１１を金属材料で形成してもよいし、ガラス繊維混合樹脂に導電性被膜を施した材料であってもよい。また、正面外装カバー１０２については、無線通信が可能な程度に電気抵抗値が高い材料であれば適用可能である。
【００１９】
次に図６を参照して、正面外装カバー１０２の内面に形成する導電性被膜について説明する。図６は正面外装カバー１０２をカメラボディ１００の内側から見た状態を示す。以下、導電性被膜の形成範囲を説明する。表面処理により形成される導電性被膜については、導電性塗料やイオンプレーティングによる被膜、あるいはその他の導電性被膜でもよいが、本実施形態では導電性塗料を例にして説明する。
正面外装カバー１０２の内面には導電性被膜を形成した範囲と、領域３００（斜線部参照）に示すように、導電性の塗装膜または蒸着膜を形成していない領域がある。領域３００は、無線基板４１のアンテナ部４２と対向する領域およびその周辺域を含み、導電性塗装膜または蒸着膜が施されていない領域である。この領域３００は、アンテナ部４２に対向する面積よりも広い範囲となるように設定されている。正面外装カバー１０２の内面に導電塗装を施す場合、領域３００にはマスキング処理が行われ、導電性塗料が付着しないように処置される。よって、領域３００は無線通信可能な程度に電気抵抗値が高い領域となっている。また、正面外装カバー１０２の内面のうちで領域３００以外の範囲には、ほぼ全域に亘って導電塗装が施されるため、正面外装カバー１０２は電磁波の遮蔽機能を有する。
【００２０】
正面外装カバー１０２の内面の複数個所に設けたビス留め部３０１ａ，３０１ｂは、上面外装カバー１０１と共にミラーボックス５３に締結固定される際に、上面外装カバー１０１と平面で密着する取り付け部である。複数のビス留め部３０１ａ，３０１ｂには導電塗装が施されているため、導電性樹脂で成形した上面外装カバー１０１と電気的に接続される。無線基板４１のアンテナ部４２は、ビス留め部３０１ａと３０１ｂとの間に挟まれた領域に配置され、アンテナ部４２の上側の周辺域は上面外装カバー１０１で覆われる。このため、アンテナ部４２は電気的に接続された外装部材で囲まれるが、正面外装カバー１０２のうち、アンテナ部４２に対向する領域３００は電気抵抗値が相対的に高い領域である。また、アンテナ部４２は接眼光学系の光軸１ａに対応する部分から離隔して、無線基板４１の右端寄りの位置に設けられている。よって、アンテナ部４２はレンズ着脱マウント６０（図２参照）からカメラの高さ方向において極力離れて位置する。無線基板４１のアンテナ部４２を導電部材であるレンズ着脱マウント６０から極力離して配置することができるので、送受信時の電波はレンズ着脱マウント６０の影響を受け難くなる。
【００２１】
また、正面外装カバー１０２の内面にて、下端寄りの位置には導電塗装を施したビス留め部３０１ｃが形成されており、本体フレーム７０の金属フレームに固定されて電気的に接続される。同様に、カメラボディ１００の左右両側には正面外装カバー１０２と他の導電部材とが電気的に接続される部分が複数個所設けられている。
本実施形態では、無線基板４１のグランドパターンの露出部が、基板固定部材４４との締結部４６であって、アンテナ部４２とは接眼光学系の光軸１ａを挟んで対向する位置に配置される。すなわち、無線基板４１のグランド部はアンテナ部４２とは光軸１ａを挟んで対向する位置で基板固定部材４４に接続される。また、無線基板４１のグランドパターンは、ペンタプリズム固定部材５７、ペンタプリズム保持部材５８、ミラーボックス５３を介して、カメラボディ１００の骨組みをなす本体フレーム７０の金属フレームと接続される。従って、無線基板４１のアンテナ部４２の周辺から導電性部材を離隔させた状態で、無線基板４１のグランドパターンとカメラボディ１００の電気的グランド部を確実に接続することができる。
【００２２】
また、ペンタプリズム保持部材５８に設けた複数の棚部５８ａは、基板固定部材４４の下端面４４ｃに当接して当該部材を支持する。無線基板４１のアンテナ部４２の近傍にて、無線基板４１とペンタプリズム５１の第２反射面５１ｂとの間には非導電性の弾性部材６２が接着により固定される。これにより、アンテナ部４２の周辺から導電性部材を離した状態で、無線基板４１をペンタプリズム５１の第２反射面５１ｂに対して略平行に配置できる。こうして、ペンタプリズム５１とミラーボックス５３と正面外装カバー１０２とで囲まれた空間に無線基板４１を配置できる。その結果、カメラボディ１００のサイズを大きくすることなく、無線基板４１をカメラボディ１００の内部に配置することができる。
【００２３】
さらに、本実施形態では、無線基板４１のアンテナ部４２を覆う正面外装カバー１０２が非導電性の樹脂材料で成形されており、電磁遮蔽効果及び静電気ノイズの低減効果を得るために、撮像装置内面側に導電性塗装または蒸着膜を施している。これより、カメラボディ１００全体が導電体で覆われるので、高い電磁遮蔽効果が得られ、不要輻射を防止し、外来ノイズの影響を受け難くなる。但し、正面外装カバー１０２の内面のうち、無線基板４１のアンテナ部４２と対向する領域３００（図６参照）には導電性塗装膜や蒸着膜が施されていない。よって、無線通信時にアンテナ部４２で放射または受信される電波が遮蔽されず、妨害されることはない。
【００２４】
本実施形態では、無線通信ユニットを構成する無線基板４１と該基板を固定する基板固定部材４４がペンタプリズム５１と外装部材との間に配置される。無線基板４１のグランド部は、基板固定部材４４においてアンテナ部４２とは接眼光学系の光軸１ａを挟んで対向する位置で接続される。そして、基板固定部材４４は、ペンタプリズム５１の固定部材に取り付けられて、カメラボディ１００のグランド部（金属フレーム）と電気的に接続される。従って、ストロボ等の閃光ユニットを内蔵する撮像装置において、撮像装置の高さ方向のサイズを大きくすることなく、無線通信ユニットを撮像装置内に配置でき、しかも安定した無線通信状態を確保できる。
以上、本発明の好ましい実施形態について説明したが、本発明はこれらの実施形態に限定されず、その要旨の範囲内で種々の変形及び変更が可能である。
【符号の説明】
【００２５】
４１    無線基板
４２    アンテナ部
４４    基板固定部材
４６    締結部
５０    ファインダ部
５１    ペンタプリズム
５２ｍ  回動ミラー
５３    ミラーボックス
５７    ペンタプリズム固定部材
５８    ペンタプリズム保持部材
１００    カメラボディ
１０１    上面外装カバー
１０２    正面外装カバー
【図１】
2014044374.tif 000003
【図２】
2014044374.tif 000004
【図３】
2014044374.tif 000005
【図４】
2014044374.tif 000006
【図５】
2014044374.tif 000007
【図６】
2014044374.tif 000008